(57)【要約】【課題】整流素子による電圧降下を抑制することができるノイズ抑制回路を提供する。【解決手段】ノイズ抑制回路２０ａは、圧力センサ素子１３に接続される電源線Ｌｖ、グランド線Ｌｇ及び信号線Ｌｏに設けられる。ノイズ抑制回路２０ａは、電源線Ｌｖに設けられる整流素子Ｄ１と、整流素子Ｄ１に並列接続されるインダクタ素子Ｌ１と、を備える。この構成によれば、インダクタ素子Ｌ１の性質上、ノイズが重畳していない電源電流Ｉｖ１は、第１のインダクタ素子Ｌ１を経て、第２ノイズ抑制部２２に流れる。すなわち、電源電流Ｉｖは整流素子Ｄ１を迂回するため、整流素子Ｄ１に電源電流Ｉｖは流れない。このため、整流素子Ｄ１により圧力センサ素子１３に供給される電源電圧が降下することが抑制される。よって、電源電圧が圧力センサ素子１３の正常な動作が可能な基準電圧を下回ることが抑制される。【選択図】図３
2019020344.tif 000002
【特許請求の範囲】
【請求項１】
圧力センサ素子に接続される電源線、信号線及びグランド線に設けられるノイズ抑制回路であって、
前記電源線に設けられる整流素子と、
前記整流素子に並列接続されるインダクタ素子と、を備える、
ノイズ抑制回路。
【請求項２】
前記グランド線と前記電源線の間に互いに並列接続される第１コンデンサ及び第２コンデンサを備える、
請求項１に記載のノイズ抑制回路。
【請求項３】
前記第１コンデンサは前記電源線における前記整流素子の一端側に接続され、
前記第２コンデンサは前記電源線における前記整流素子の他端側に接続される、
請求項２に記載のノイズ抑制回路。
【請求項４】
前記グランド線と前記信号線との間に接続される第３コンデンサを備える、
請求項１から３の何れか一項に記載のノイズ抑制回路。
【発明の詳細な説明】
【技術分野】
【０００１】
本発明は、ノイズ抑制回路に関する。
【背景技術】
【０００２】
従来から、液体や気体等からなる被測定流体の圧力を検出する圧力センサが知られている。例えば、特許文献１に記載されるように、圧力センサには、整流素子であるノイズ吸収用のツェナーダイオードが接続されている。電源電圧はツェナーダイオードを介して圧力センサに印加される。
【先行技術文献】
【特許文献】
【０００３】
【特許文献１】特開２００４−２６４１５０号公報
【発明の概要】
【発明が解決しようとする課題】
【０００４】
上記特許文献１の構成では、ツェナーダイオードにより、圧力センサに印加される電源電圧が低下する。このため、電源電圧が圧力センサの適切な動作に必要となる基準電圧を下回るおそれがある。
【０００５】
本発明は、上記実状を鑑みてなされたものであり、整流素子による電圧降下を抑制することができるノイズ抑制回路を提供することを目的とする。
【課題を解決するための手段】
【０００６】
上記目的を達成するため、本発明に係るノイズ抑制回路は、圧力センサ素子に接続される電源線、信号線及びグランド線に設けられるノイズ抑制回路であって、前記電源線に設けられる整流素子と、前記整流素子に並列接続されるインダクタ素子と、を備える。
【発明の効果】
【０００７】
本発明によれば、ノイズ抑制回路において、整流素子による電圧降下を抑制することができる。
【図面の簡単な説明】
【０００８】
【図１】本発明の一実施形態に係る圧力検出装置の正面図である。
【図２】本発明の一実施形態に係る図１のＡ−Ａ線断面図である。
【図３】本発明の一実施形態に係る圧力検出装置のブロック図である。
【図４】本発明の一実施形態に係る圧力センサ素子のブロック図である。
【図５】本発明の変形例に係るノイズ抑制回路のブロック図である。
【図６】本発明の変形例に係るノイズ抑制回路のブロック図である。
【発明を実施するための形態】
【０００９】
本発明に係るノイズ抑制回路を備える圧力検出装置の一実施形態について、図１〜図４を参照して説明する。この圧力検出装置は、車両、例えば車両に搭載される変速装置（外部機器）に取り付けられる。
【００１０】
図１及び図２に示すように、圧力検出装置１は、ハウジング１１と、ベース板１２と、圧力センサ素子１３と、台座１７と、３つの電極端子１４Ｅ，１４Ｇ，１４Ｏと、蓋部材１６と、ノイズ抑制回路２０ａが内蔵されるノイズ対策チップ２０と、回路基板１５と、３つの導電ピン１９Ｅ，１９Ｇ，１９Ｏと、を備える。
【００１１】
図２に示すように、ハウジング１１は、例えばＰＰＳ（Poly Phenylene Sulfide）樹脂などの電気的に絶縁性を有する樹脂により円筒状に形成される。ハウジング１１内には、ベース板１２及び圧力センサ素子１３が収容される。
【００１２】
ベース板１２は、ハウジング１１に固定されつつ、台座１７を介して圧力センサ素子１３を支持する。例えば、ベース板１２は、ステンレス鋼などの金属により段差を有する円板状に形成される。ベース板１２は、回路基板１５に対向する第１の面１２ａと、台座１７を介して圧力センサ素子１３が設置される第２の面１２ｂと、を有する。また、ベース板１２の中央には、気体等の被測定流体が流通する貫通孔である開口部１２ｃが形成されている。ベース板１２は、インサート成形等により、ハウジング１１と一体で成形されている。
【００１３】
台座１７は、圧力センサ素子１３とベース板１２の間に設けられる。台座１７は、ガラスにより円板状に形成される。台座１７には、ベース板１２の開口部１２ｃと連通する貫通孔１７ａが形成される。台座１７はダイボンドによりベース板１２の第２の面１２ｂに気密に接着されている。
【００１４】
圧力センサ素子１３は被測定流体の圧力に応じた検出信号を出力する。圧力センサ素子１３は台座１７に気密に陽極接合される。圧力センサ素子１３は、開口部１２ｃを覆うダイアフラムＤを備える。ダイアフラムＤは被測定流体の圧力により歪むように薄肉に形成される。
【００１５】
蓋部材１６は、ハウジング１１の裏面（図２の上面）を覆うようにハウジング１１に固定されている。蓋部材１６は、例えばＰＰＳなどの樹脂から構成される。蓋部材１６は、ベース板１２の第２の面１２ｂ及び圧力センサ素子１３のダイアフラムＤとの間に圧力基準室Ｂを形成する。圧力基準室Ｂは、圧力センサ素子１３の被測定流体の圧力を受ける面の裏側に形成される密閉された空間である。
【００１６】
図１及び図２に示すように、各電極端子１４Ｅ，１４Ｇ，１４Ｏは、ハウジング１１に固定されるとともに、圧力センサ素子１３の外周に等角度間隔に配置され、ハウジング１１の径方向に沿って延びる長方形板状をなす。各電極端子１４Ｅ，１４Ｇ，１４Ｏの内側端部はワイヤＷを介して圧力センサ素子１３に電気的に接続され、各電極端子１４Ｅ，１４Ｇ，１４Ｏの外側端部はハウジング１１の外部に突出している。各電極端子１４Ｅ，１４Ｇ，１４Ｏは、例えばニッケルメッキされたリン青銅などから構成される。各電極端子１４Ｅ，１４Ｇ，１４Ｏはハウジング１１にインサート成形される。
【００１７】
電源用電極端子１４Ｅは電源電圧が印加される端子であり、グランド用電極端子１４Ｇはグランドに接続される端子であり、出力用電極端子１４Ｏは圧力センサ素子１３からの検出信号を出力する端子である。
【００１８】
図２に示すように、ワイヤＷは、例えばアルミニウムにより線状に形成され、圧力センサ素子１３（正確には後述する図４の各端子１３Ｖ，１３Ｇ，１３Ｏ）と各電極端子１４Ｅ，１４Ｇ，１４Ｏとの間を接続する。
【００１９】
回路基板１５はプリント基板により構成される。回路基板１５の上面には回路パターン１５ａが形成されるとともに、ハウジング１１、ノイズ対策チップ２０及び導電ピン１９Ｅ，１９Ｇ，１９Ｏが設置される。回路パターン１５ａは、導電ピン１９Ｅ，１９Ｇ，１９Ｏとノイズ対策チップ２０とを電気的に接続する。
【００２０】
導電ピン１９Ｅ，１９Ｇ，１９Ｏは、導電材料により形成され、回路基板１５の上面に対して垂直に延びる。導電ピン１９Ｅ，１９Ｇ，１９Ｏの一端は各電極端子１４Ｅ，１４Ｇ，１４Ｏに接続され、導電ピン１９Ｅ，１９Ｇ，１９Ｏの他端は回路基板１５の回路パターン１５ａに接続される。これにより、圧力センサ素子１３は、各電極端子１４Ｅ，１４Ｇ，１４Ｏを介してノイズ対策チップ２０に電気的に接続される。
【００２１】
次に、圧力検出装置１の電気的構成について説明する。
図３に示すように、圧力センサ素子１３は、外部端子として、電源端子１３Ｖ、グランド端子１３Ｇ及び信号端子１３Ｏを備える。
電源端子１３Ｖは、電源線Ｌｖを介して電源Ｖｃｃに接続される。電源Ｖｃｃは車載バッテリである。圧力センサ素子１３は、電源端子１３Ｖを介して電源電圧を受けると、その電源電圧を圧力センサ素子１３の各部に供給する。
グランド端子１３Ｇは、グランド線Ｌｇを介してグランドＧｎｄに接続される。圧力センサ素子１３の各部はグランド端子１３Ｇに接続される。圧力センサ素子１３は、グランド端子１３Ｇを介して圧力センサ素子１３の各部を経た放出電流Ｉｏを外部機器３０に出力する。
信号端子１３Ｏは、信号線Ｌｏを介して外部機器３０に接続される。外部機器３０は、例えば、変速装置の制御部である。圧力センサ素子１３は、信号端子１３Ｏを介して検出信号Ｓｉを外部機器３０に出力する。
【００２２】
図４に示すように、圧力センサ素子１３は、定電流源１３ａと、センシング部１３ｂと、アンプ１３ｃ，１３ｈと、Ａ／Ｄ変換部１３ｄと、マイコン（マイクロコンピュータ）１３ｅと、Ｄ／Ａ変換部１３ｆと、を備える。
【００２３】
定電流源１３ａは、電源端子１３Ｖを介して入力された電源電圧により定電流を生成し、その定電流をセンシング部１３ｂに出力する。センシング部１３ｂは、定電流源１３ａからの定電流に基づき、上述したダイアフラムＤの歪みに応じた検出信号を出力する。センシング部１３ｂは、ピエゾ抵抗効果を有する感圧素子となる４つの抵抗Ｒ１〜Ｒ４を含むブリッジ回路により構成される。抵抗Ｒ１〜Ｒ４は、ボロン等の不純物が拡散処理されることでダイアフラムＤに形成される。
【００２４】
アンプ１３ｃは、センシング部１３ｂからの検出信号を増幅し、増幅した検出信号をＡ／Ｄ変換部１３ｄに出力する。Ａ／Ｄ変換部１３ｄは、アンプ１３ｃからの増幅された検出信号をデジタル信号に変換し、そのデジタル信号をマイコン１３ｅに出力する。
【００２５】
マイコン１３ｅは、例えば、デジタルシグナルプロセッサ（Digital Signal Processor）であり、ＣＰＵ（Central Processing Unit）、ＲＯＭ（Read Only Memory）、ＲＡＭ（Random Access Memory）及びＥＥＰＲＯＭ（Electrically Erasable Programmable Read-Only Memory）等から構成される。
マイコン１３ｅは、Ａ／Ｄ変換部１３ｄからのデジタル信号を入力し、入力したデジタル信号に応じた出力データをＤ／Ａ変換部１３ｆに出力する。Ｄ／Ａ変換部１３ｆは、マイコン１３ｅからの出力データをアナログ信号である検出信号Ｓｉに変換し、変換した検出信号Ｓｉをアンプ１３ｈに出力する。アンプ１３ｈは、Ｄ／Ａ変換部１３ｆからの検出信号Ｓｉを増幅し、増幅した検出信号Ｓｉを信号端子１３Ｏに出力する。
【００２６】
図３に示すように、ノイズ抑制回路２０ａは、電源線Ｌｖ、グランド線Ｌｇ及び信号線Ｌｏに設けられている。ノイズ抑制回路２０ａは、第１ノイズ抑制部２１と、第２ノイズ抑制部２２と、を備える。
第１ノイズ抑制部２１は、電源線Ｌｖ及びグランド線Ｌｇに印加されるパルス状のノイズの信号レベルを低減させる機能を有する。具体的には、第１ノイズ抑制部２１は、プローブクランプにより電圧誘導することでパルス状のノイズを印加するノイズシミュレーション試験において、圧力センサ素子１３が正常に動作する程度までパルス状のノイズを低減させる。
【００２７】
詳しくは、第１ノイズ抑制部２１は、整流素子Ｄ１と、インダクタ素子Ｌ１と、３つのコンデンサＣ１，Ｃ２，Ｃ３と、を備える。
整流素子Ｄ１は、電源線Ｌｖに設けられ、電源Ｖｃｃからの電源電圧に重畳するノイズをカットすることにより電源電圧を整流するとともに、圧力センサ素子１３から電源Ｖｃｃに電流が逆流することを防止する。整流素子Ｄ１はダイオードにより構成される。このダイオードのカソードは圧力検出装置１の電源端子１３Ｖを向いている。
第１のインダクタ素子Ｌ１は整流素子Ｄ１に並列に接続される。第１のインダクタ素子Ｌ１は、直流電流を通過させ、時間経過に伴い電流が変化するノイズを通過させない性質を有する。
【００２８】
コンデンサＣ２の一端は電源線Ｌｖにおける整流素子Ｄ１と電源Ｖｃｃの間に接続され、コンデンサＣ２の他端はグランド線Ｌｇに接続される。
コンデンサＣ１の一端は電源線Ｌｖにおける整流素子Ｄ１と第２のインダクタ素子Ｌ２の間に接続され、コンデンサＣ１の他端はグランド線Ｌｇに接続される。
コンデンサＣ３の一端は信号線Ｌｏにおける第３のインダクタ素子Ｌ３と外部機器３０の間に接続される。コンデンサＣ３の他端はグランド線Ｌｇに接続される。
【００２９】
第２ノイズ抑制部２２は、電源線Ｌｖ、グランド線Ｌｇ及び信号線Ｌｏに印加される高周波（ＲＦ：Radio Frequency）で振動する高周波ノイズの信号レベルを低減させる機能を有する。具体的には、第２ノイズ抑制部２２は、プローブクランプにより高周波の電流を注入するＢＣＩ（Bulk Current Injection)試験において、圧力センサ素子１３が正常に動作する程度まで高周波ノイズを低減させる。
詳しくは、第２ノイズ抑制部２２は、第１π型フィルタ２２ａと、第２π型フィルタ２２ｂと、を備える。第１π型フィルタ２２ａは、コンデンサＣ４と、第２のインダクタ素子Ｌ２と、第１ノイズ抑制部２１と共有されるコンデンサＣ１と、を備える。
【００３０】
第２のインダクタ素子Ｌ２は、電源線Ｌｖにおける整流素子Ｄ１と圧力センサ素子１３の電源端子１３Ｖの間に設けられる。
上述したように、コンデンサＣ１の一端は、電源線Ｌｖにおける整流素子Ｄ１と第２のインダクタ素子Ｌ２の間に接続される。コンデンサＣ１の他端は信号線Ｌｏに接続される。
コンデンサＣ４の一端は、電源線Ｌｖにおける第２のインダクタ素子Ｌ２と圧力センサ素子１３の電源端子１３Ｖの間に接続される。コンデンサＣ４の他端は信号線Ｌｏに接続される。
すなわち、コンデンサＣ４は、コンデンサＣ１よりも圧力センサ素子１３に近い位置において、コンデンサＣ１と並列に接続される。
【００３１】
第２π型フィルタ２２ｂは、コンデンサＣ５と、第３のインダクタ素子Ｌ３と、第１ノイズ抑制部２１と共有されるコンデンサＣ３と、を備える。
第３のインダクタ素子Ｌ３はグランド線Ｌｇに設けられる。
コンデンサＣ５の一端は信号線Ｌｏにおける第３のインダクタ素子Ｌ３と圧力センサ素子１３の信号端子１３Ｏの間に接続される。コンデンサＣ５の他端はグランド線Ｌｇに接続される。
上述したように、コンデンサＣ３の一端は信号線Ｌｏにおける第３のインダクタ素子Ｌ３と外部機器３０の間に接続される。コンデンサＣ３の他端はグランド線Ｌｇに接続される。
すなわち、コンデンサＣ５は、コンデンサＣ３よりも圧力センサ素子１３に近い位置において、コンデンサＣ３と並列に接続される。
【００３２】
第２のインダクタ素子Ｌ２と第３のインダクタ素子Ｌ３は、同一の素子であり、例えば、１００ＭＨｚにおいて１０００Ωの抵抗値を有する。
また、第１〜第５のコンデンサＣ１〜Ｃ５の容量Ｆ１〜Ｆ５の大小関係は以下のように設定される。なお、容量Ｆ１〜Ｆ５の単位はＦ（ファラド）である。
Ｆ４＞Ｆ２＝Ｆ５＞Ｆ１＝Ｆ３
すなわち、コンデンサＣ４の容量Ｆ４は、容量Ｆ１〜Ｆ５のうち最も大きい。コンデンサＣ２の容量Ｆ２及びコンデンサＣ５の容量Ｆ５は、同一であり、かつ容量Ｆ４よりも小さい。コンデンサＣ１の容量Ｆ１及びコンデンサＣ３の容量Ｆ３は同一であり、かつ容量Ｆ２，Ｆ５よりも小さい。
なお、上記の容量Ｆ１〜Ｆ５の大小関係は一例であり、適宜変更可能である。
【００３３】
コンデンサＣ１は第１コンデンサに相当し、コンデンサＣ２は第１コンデンサに相当し、コンデンサＣ３は第３コンデンサに相当する。
【００３４】
（作用）
次に、ノイズ抑制回路２０ａの作用について説明する。
電源Ｖｃｃからの直流電流である電源電流Ｉｖは、第１ノイズ抑制部２１及び第２ノイズ抑制部２２を経て、圧力センサ素子１３の電源端子１３Ｖに供給される。
ここで、上述したように第１のインダクタ素子Ｌ１は、直流電流を通過させ、ノイズ等の交流電流を通過させない性質を有する。この性質を利用して、電源電流Ｉｖにノイズが重畳しているか否かに応じて、電源電流Ｉｖの流路が第１のインダクタ素子Ｌ１及び整流素子Ｄ１の間で切り替わる。
【００３５】
例えば、ノイズが重畳していない電源電流Ｉｖ１は、第１のインダクタ素子Ｌ１を経て、第２ノイズ抑制部２２に流れる。すなわち、電源電流Ｉｖ１は整流素子Ｄ１を迂回するため、整流素子Ｄ１に電源電流Ｉｖ１は流れない。このため、整流素子Ｄ１により電源電圧が降下することが抑制される。
一方、ノイズが重畳している電源電流Ｉｖ２は、第１のインダクタ素子Ｌ１のインピーダンスにより第１のインダクタ素子Ｌ１を通過せず、整流素子Ｄ１を経て、第２ノイズ抑制部２２に流れる。この際、整流素子Ｄ１は、電源電流Ｉｖに重畳するパルス状のノイズを除去する。
【００３６】
第２ノイズ抑制部２２の第１π型フィルタ２２ａは、電源電流Ｉｖに重畳する高周波ノイズを低減させる。第１π型フィルタ２２ａにおいてその通過帯域は電源電流Ｉｖの周波数を含むように設定され、遮断周波数帯域は高周波ノイズを含むように設定される。
【００３７】
第２ノイズ抑制部２２の第２π型フィルタ２２ｂは、検出信号Ｓｉに重畳する高周波ノイズを低減させる。第２π型フィルタ２２ｂにおいてその通過帯域は検出信号Ｓｉの周波数を含むように設定され、その遮断周波数帯域は高周波ノイズを含むように設定される。
【００３８】
（効果）
以上、説明した一実施形態によれば、以下の効果を奏する。
【００３９】
（１−１）ノイズ抑制回路２０ａは、圧力センサ素子１３に接続される電源線Ｌｖ、グランド線Ｌｇ及び信号線Ｌｏに設けられる。ノイズ抑制回路２０ａは、電源線Ｌｖに設けられる整流素子Ｄ１と、整流素子Ｄ１に並列接続されるインダクタ素子Ｌ１と、を備える。
この構成によれば、インダクタ素子Ｌ１の性質上、ノイズが重畳していない電源電流Ｉｖ１は、第１のインダクタ素子Ｌ１を経て、第２ノイズ抑制部２２に流れる。すなわち、電源電流Ｉｖは整流素子Ｄ１を迂回するため、整流素子Ｄ１に電源電流Ｉｖは流れない。このため、整流素子Ｄ１により圧力センサ素子１３に供給される電源電圧が降下することが抑制される。よって、電源電圧が圧力センサ素子１３の正常な動作が可能な基準電圧を下回ることが抑制される。
また、ノイズが重畳している電源電流Ｉｖ２は、第１のインダクタ素子Ｌ１のインピーダンスにより第１のインダクタ素子Ｌ１を通過せず、整流素子Ｄ１を通過する。このため、整流素子Ｄ１は、電源電流Ｉｖ２に含まれるパルス状のノイズを除去できる。
【００４０】
（１−２）ノイズ抑制回路２０ａは、グランド線Ｌｇと電源線Ｌｖの間に互いに並列接続されるコンデンサＣ１（第１コンデンサ）及びコンデンサＣ２（第２コンデンサ）を備える。
この構成によれば、整流素子Ｄ１により整流された電源電流ＩｖはコンデンサＣ１，Ｃ２により平滑化される。よって、より安定した電源電流Ｉｖを圧力センサ素子１３に供給可能となる。
【００４１】
（１−３）コンデンサＣ１は、電源線Ｌｖにおける整流素子Ｄ１の一端側とグランド線Ｌｇの間に接続される。コンデンサＣ２は、電源線Ｌｖにおける整流素子Ｄ１の他端側とグランド線Ｌｇの間に接続される。
この構成によれば、整流素子Ｄ１により整流された電源電流ＩｖはコンデンサＣ１，Ｃ２により平滑化される。よって、より安定した電源電流Ｉｖを圧力センサ素子１３に供給可能となる。
【００４２】
（１−４）ノイズ抑制回路２０ａは、グランド線Ｌｇと信号線Ｌｏとの間に接続されるコンデンサＣ３（第３コンデンサ）を備える。
この構成によれば、コンデンサＣ３により、検出信号Ｓｉが平滑化される。
【００４３】
（２−１）ノイズ抑制回路２０ａは、圧力センサ素子１３に接続される電源線Ｌｖ、グランド線Ｌｇ及び信号線Ｌｏに設けられる。ノイズ抑制回路２０ａは、電源線Ｌｖに設けられるインダクタ素子Ｌ２と、電源線Ｌｖにおけるインダクタ素子Ｌ２の圧力センサ素子１３に近い一端側とグランド線Ｌｇとの間に接続されるコンデンサＣ１と、電源線Ｌｖにおけるインダクタ素子Ｌ２の圧力センサ素子１３から遠い他端側とグランド線Ｌｇとの間に接続されるコンデンサＣ４と、信号線Ｌｏに設けられるインダクタ素子Ｌ３と、信号線Ｌｏにおけるインダクタ素子Ｌ３の圧力センサ素子１３に近い一端側とグランド線Ｌｇとの間に接続されるコンデンサＣ５と、信号線Ｌｏにおけるインダクタ素子Ｌ３の圧力センサ素子１３から遠い他端側とグランド線Ｌｇとの間に接続されるコンデンサＣ３と、を備える。
この構成によれば、インダクタ素子Ｌ２、コンデンサＣ１，Ｃ４により第１π型フィルタ２２ａが構成され、インダクタ素子Ｌ３、コンデンサＣ３，Ｃ５により第２π型フィルタ２２ｂが構成される。第１π型フィルタ２２ａは、電源電流Ｉｖに重畳する高周波ノイズを低減させるとともに、電源端子１３Ｖ及びグランド端子１３Ｇを介して圧力センサ素子１３にノイズ等の大電流が流入することを抑制する。第２π型フィルタ２２ｂは検出信号Ｓｉに重畳する高周波ノイズを低減させるとともに、信号端子１３Ｏ及びグランド端子１３Ｇを介して圧力センサ素子１３にノイズ等の大電流が流入することを抑制する。
【００４４】
（２−２）ノイズ抑制回路２０ａは、電源線Ｌｖにおけるインダクタ素子Ｌ２よりも圧力センサ素子１３から遠い位置に設けられる整流素子Ｄ１と、整流素子Ｄ１に並列接続されるインダクタ素子Ｌ１と、を備える。
この構成によれば、上述したように、ノイズが重畳している電源電流Ｉｖ２は整流素子Ｄ１を通過し、ノイズが重畳していない電源電流Ｉｖ１は整流素子Ｄ１を迂回してインダクタ素子Ｌ２に流れる。このため、電源電流Ｉｖ２に含まれるノイズを除去しつつ電源電圧の降下を抑制できる。
また、第１π型フィルタ２２ａは、整流素子Ｄ１及びインダクタ素子Ｌ１よりも圧力センサ素子１３に近い位置に設けられる。これにより、圧力センサ素子１３から第１π型フィルタ２２ａまでの電源線Ｌｖの長さが短くなる。よって、第１π型フィルタ２２ａから圧力センサ素子１３までの電源線Ｌｖにノイズが発生することが抑制される。
【００４５】
（２−３）ノイズ抑制回路２０ａは、電源線Ｌｖにおける整流素子Ｄ１よりも圧力センサ素子１３から遠い端部側とグランド線Ｌｇとの間に接続されるコンデンサＣ２を備える。
この構成によれば、コンデンサＣ２により電源電流Ｉｖが平滑化され、より安定した電源電流Ｉｖを圧力センサ素子１３に供給可能となる。
【００４６】
（２−４）ノイズ抑制回路２０ａは、整流素子Ｄ１、インダクタ素子Ｌ１、コンデンサＣ１，Ｃ２，Ｃ３を含み、電源線Ｌｖ及び信号線Ｌｏに印加されるパルス状のノイズを低減させる第１ノイズ抑制部２１と、インダクタ素子Ｌ２，Ｌ３、コンデンサＣ４，Ｃ５、第１ノイズ抑制部２１と共有されるコンデンサＣ１，Ｃ３を含み、グランド線Ｌｇ及び信号線Ｌｏに印加される高周波ノイズを低減させる第２ノイズ抑制部２２と、を備える。
この構成によれば、第１ノイズ抑制部２１と第２ノイズ抑制部２２により、２つのコンデンサＣ１，Ｃ３が共有されるため、ノイズ抑制回路２０ａをより簡易に構成することができる。
【００４７】
（変形例）
なお、上記実施形態は、これを適宜変更した以下の形態にて実施することができる。
【００４８】
上記実施形態においては、ノイズ抑制回路２０ａは第１ノイズ抑制部２１及び第２ノイズ抑制部２２を備えていたが、図６に示すように、第２ノイズ抑制部２２を省略してもよい。さらに、第１ノイズ抑制部２１において、コンデンサＣ１〜Ｃ３の少なくとも何れかが省略されてもよい。
【００４９】
上記実施形態においては、第１ノイズ抑制部２１及び第２ノイズ抑制部２２は、コンデンサＣ１，Ｃ３を共有していたが、共有せずにそれぞれ異なるコンデンサを有していてもよい。
【００５０】
上記実施形態において、ノイズ抑制回路２０ａは、図５に示すように、さらに、２つのコンデンサＣ６，Ｃ７を備えていてもよい。例えば、コンデンサＣ６は、電源線Ｌｖとグランド線Ｌｇの間において、コンデンサＣ４と並列に接続されている。コンデンサＣ６は、コンデンサＣ４よりも圧力センサ素子１３の電源端子１３Ｖ及びグランド端子１３Ｇに近い位置に設けられる。コンデンサＣ６は、電源電流Ｉｖを平滑化するとともに、ノイズ等の大電流が電源端子１３Ｖ及びグランド端子１３Ｇを介して圧力センサ素子１３に流入することを抑制する。
コンデンサＣ７は、グランド線Ｌｇと信号線Ｌｏの間において、コンデンサＣ５と並列に接続されている。コンデンサＣ７は、コンデンサＣ５よりも圧力センサ素子１３のグランド端子１３Ｇ及び信号端子１３Ｏに近い位置に設けられる。コンデンサＣ７は検出信号Ｓｉを平滑化するとともに、ノイズ等の大電流がグランド端子１３Ｇ及び信号端子１３Ｏを介して圧力センサ素子１３に流入することを抑制する。
【００５１】
上記実施形態においては、第２ノイズ抑制部２２は、第１π型フィルタ２２ａ及び第２π型フィルタ２２ｂを備えていたが、第２π型フィルタ２２ｂを省略してもよい。
【００５２】
上記実施形態においては、圧力検出装置１は、車両に搭載されていたが、車両に限らず船舶、農業用機械又は建設機械等の乗り物に搭載されてもよいし、乗り物以外の機械に搭載されてもよい。
【符号の説明】
【００５３】
１  圧力検出装置
１１  ハウジング
１２  ベース板
１３  圧力センサ素子
１３Ｇ  グランド端子
１３Ｏ  信号端子
１３Ｖ  電源端子
１４Ｅ  電源用電極端子
１４Ｇ  グランド用電極端子
１４Ｏ  出力用電極端子
１５  回路基板
１５ａ  回路パターン
１６  蓋部材
１７  台座
１７ａ  貫通孔
１９Ｅ，１９Ｇ，１９Ｏ  導電ピン
２０  ノイズ対策チップ
２０ａ  ノイズ抑制回路
２１  第１ノイズ抑制部
２２  第２ノイズ抑制部
２２ａ  第１π型フィルタ
２２ｂ  第２π型フィルタ
３０  外部機器
【図１】
2019020344.tif 000003
【図２】
2019020344.tif 000004
【図３】
2019020344.tif 000005
【図４】
2019020344.tif 000006
【図５】
2019020344.tif 000007
【図６】
2019020344.tif 000008